Podtech/llm-jp-corpus-v4-ja_patent huggingface dataset:
(57)【要約】      （修正有）【課題】特別な作業を必要とせず、床防水又は断熱効果を得るとともに、現場施工時間の短縮及び工費節減を図ることができる、床組に取り付けて床下地を構成する床断熱パネルの取り付け構造を提供する。【解決手段】あらかじめ工場内で所定の構成材を組み付け成形した床断熱パネル１を、床組部材２である大引又は根太あるいは桁や梁に載嵌・敷設して床下地を構成するとともに、床断熱パネルの周縁下側に向って切り欠き３を形成し、且つ、床組の床断熱パネルの支持部上側に向って切り欠き４を形成して、床断熱パネルの表面が床組頂と水平になるよう嵌合する構造とした。【選択図】図２
0003223649.tif 000002
【実用新案登録請求の範囲】
【請求項１】
あらかじめ工場内で所定の構成材を組み付け成形した床断熱パネルを、床組部材である大引又は根太あるいは桁や梁に載嵌・敷設して床下地を構成するとともに、該床断熱パネル周縁下側に向って切り欠きを形成し、且つ、床組の該床断熱パネル支持部上側に向って切り欠きを形成して、該床断熱パネル表面が床組頂と水平になるよう嵌合する構造とした床断熱パネルの取り付け構造。
【考案の詳細な説明】
【技術分野】
【０００１】  本考案は、木造建築物の床下地に用いる床断熱パネルの取り付け構造に関する。
【背景技術】
【０００２】  従来より、工期短縮や工費節減等の目的達成の為、床下地構成部材を工場等において一体成形した床断熱パネルを用いて現場施工するパネル工法により、現場における施工作業数を軽減している。【０００３】  これらのパネル工法によれば現場施工時間を大幅に短縮できるものであるが、施工上、床下地における防水又は断熱構造をいかにするかが一つの問題となっている。【０００４】この問題を解決するための従来技術として、次の床下断熱材が提案されている。
【先行技術文献】
【特許文献】
【０００５】
【特許文献１】特開２０１８−５３４２６号公報
【考案の概要】
【考案が解決しようとする課題】
【０００６】  しかしながら、上記、従来の技術によれば、床組に歪みが生じるなどした場合に断熱材が落下するなど構造上の不具合が生じる問題点を有していた。【０００７】本考案は、上記従来有する問題点に鑑み、木造建築物の床下地に用いる床断熱パネルの取り付け構造を提供するものである。
【課題を解決するための手段】
【０００８】  あらかじめ工場内で所定の構成材を組み付け成形した床断熱パネル１を、床組部材２である大引又は根太あるいは桁や梁に載嵌・敷設して床下地を構成するとともに、該床断熱パネル１周縁下側に向って切り欠き３を形成し、且つ、床組の該床断熱パネル１支持部上側に向って切り欠き４を形成して、該床断熱パネル１表面が床組頂と水平になるよう嵌合する構造とした。
【考案の効果】
【０００９】  本考案によれば、あらかじめ工場内で所定の構成材を組み付け床断熱パネルの構造を確保しており、また、現場においては床組部材である大引又は根太あるいは桁や梁に載嵌・敷設するだけで床下地を構成するとともに床防水又は断熱効果を得るため、特別な作業を必要とせず、現場施工時間の短縮及び工費節減を図る効果も期待できる。
【考案を実施するための最良の形態】
【００１０】  以下、本考案の実施の形態について、図面を参照して説明する。
図１・図２に示すように、本考案に於いては、あらかじめ工場内で所定の構成材を組み付け成形した床断熱パネル１を、床組部材２である大引又は根太あるいは桁や梁に載嵌・敷設して床下地を構成するとともに、該床断熱パネル１周縁下側に向って切り欠き３を形成し、且つ、床組の該床断熱パネル１支持部上側に向って切り欠き４を形成して、該床断熱パネル１表面が床組頂と水平になるよう嵌合する構造とした。
【図面の簡単な説明】
【００１１】
【図１】  本考案に於ける床断熱パネルの取り付け構造を示す断面図である。
【図２】  本考案に於ける床断熱パネルの取り付け構造の略説明図である。
【符号の説明】
【００１２】  １  床断熱パネル
２  床組部材
３，４  切り欠き
【図１】
0003223649.tif 000003
【図２】
0003223649.tif 000004
(57)【要約】      （修正有）【課題】楽器クイーカ機能を付与した木製打楽器において、交換を必要としないクイーカ棒を提供する。【解決手段】金属製クイーカ棒を木製打楽器４の打面裏側に木製土台を挟んで接着結合する。木製打楽器の打面に穴を空ける必要がなく、打面表側にクイーカ棒の一端が飛び出すこともない。さらに、金属製クイーカ棒は竹や木製のクイーカ棒のように折れる心配がなく、交換の必要もなくなる。【選択図】図２
0003223653.tif 000002
【実用新案登録請求の範囲】
【請求項１】
木製の打楽器に楽器クイーカ機能を付与するための部品であって、木製土台を挟んで該木製打楽器の打面裏側に接着結合されることを特徴とする金属製クイーカ棒。
【考案の詳細な説明】
【技術分野】
【０００１】  本考案は、木製打楽器に楽器クイーカ機能を付与するためのクイーカ棒に関する。
【背景技術】
【０００２】  市販の楽器クイーカは、片面太鼓の皮やプラスティック打面の中央に付けられた木や竹の棒（以下、クイーカ棒と呼ぶ。）を、濡らした手や湿った布でこすり振動させることにより、独特の音を出すものである。（非特許文献１、２参照）
【先行技術文献】
【非特許文献】
【０００３】
【非特許文献１】コマキ通商カタログ２０１１−２０１２  ｐ４２
【非特許文献２】ｈｔｔｐｓ：／／ｒｅｍｏ．ｃｏｍ／ｐｒｏｄｕｃｔｓ／ｐｒｏｄｕｃｔ／ｆｒｉｃｔｉｏｎ−ｒｏｄ／
【考案の概要】
【考案が解決しようとする課題】
【０００４】  上記市販のクイーカ棒（非特許文献２の摩擦ロッド等）は穴の空いた打面に取り付ける構造になっている。このため、木製打楽器に既存の竹や木製のクイーカ棒を取り付ける場合、木製打面に穴を空ける必要があり、加えて、クイーカ棒の一端打面表側に飛び出し、表側全体が木製打面として使えなくなる不具合が生じる。さらに、竹や木製のクイーカ棒は折れ易いため、クイーカ棒を簡単に交換できる構造にする必要がある。
【課題を解決するための手段】
【０００５】  本考案は、楽器クイーカ機能を付与した新規の木製打楽器の提供を目的とするものであり、クイーカ棒の材質に金属を採用し、その金属製クイーカ棒を木製打楽器の打面裏側に木製土台を挟んで接着結合することで、上記課題を解決している。
【考案の効果】
【０００６】    本考案により、木製打楽器の打面に穴を空ける必要がなく、打面表側にクイーカ棒の一端が飛び出すこともない。さらに、金属製クイーカ棒は竹や木製のクイーカ棒のように折れる心配がなく、交換の必要もなくなる。なお、金属製クイーカ棒の表面は滑りやすく摩擦音が発生し難いが、専用布を用意することで解消され摩擦音が簡単に出るようになっている。
【図面の簡単な説明】
【０００７】
【図１】本考案の金属製クイーカ棒と木製土台の一実施例を示す上面図である。
【図２】本考案の金属製クイーカ棒を木製打楽器に取り付けた使用イメージ図である。
【実施例】
【０００８】  以下、図面に従って一実施例を説明する。図１に示す金属製クイーカ棒２は真鍮製パイプで、その一先端は略角柱形状の木製土台２に垂直に固定されている。なお、金属製クイーカ棒２はパイプに限らず、棒状でも良く、形状も円形に限らない。材質も真鍮に限らず、摩擦音が発生する金属であれば良い。また、前記木製土台２の形状は、略円柱、略三角柱、その他略多角柱や円錐形状など前記金属製クイーカ棒１が垂直に固定できるものであれば良い。【０００９】  図２は、前記金属製クイーカ１を木製打楽器（カホン）４に取り付けた一実施例であり、前記金属製クイーカ１は前記木製打楽器（カホン）４の音孔５の対面に位置する木製打面の中央付近の内側に、前記木製土台４を挟んで接着剤で接合させている。当該実施例は、前記金属製クイーカ１を音孔５の対面に１個取り付けた例であるが、他の打面に取り付けても良く、取り付け位置も中央付近に限らない。【００１０】  本発明のクイーカ機能付き木製打楽器を楽器クイーカとして演奏する場合は、専用布３を用いて金属クイーカ棒１を擦ることで摩擦音を発生させる。
【産業上の利用可能性】
【００１１】  本考案により、木製打楽器打面の裏から接着するだけで簡単にクイーカになるために、既製品のどのタイプにも使用可能である。また木製クイーカという新しい楽器の製作が可能である。
【符号の説明】
【００１２】  １  木製土台
２  金属製クイーカ棒
３  専用布
４  木製打楽器
５  音孔
【図１】
0003223653.tif 000003
【図２】
0003223653.tif 000004
(57)【要約】      （修正有）【課題】食材の炙り調理等における焼き串支持棒を提供する。【解決手段】炭火等を利用した串焼きに用いる焼き串ｂとの接続可能な手元支持棒Ｆであって、手元支持棒の先端部に連結用としての円筒からなる連結管ｄを備え、焼き串ｂと支持棒Ｆとの接続時に脱着自在機能を有する。【選択図】図１
0003223637.tif 000002
【実用新案登録請求の範囲】
【請求項１】
炭火等を利用した串焼きに用いる焼き串（ｂ）との接続可能な手元支持棒（ｆ）であって、手元支持棒の先端部（ｅ）に連結用としての円筒からなる連結管（ｄ）を備え、焼き串（ｂ）と支持棒（ｆ）との接続時に脱着自在機能を有したことを特徴とする焼き串支持棒。
【請求項２】
前項の焼き串（ｂ）と支持棒（ｆ）との自在接続機能に加え、支持棒（ｆ）の手元尻手部（ｇ）の断面が所定の範囲で四角形に形成され、長方形火床両脇の長さ方向に付設され断面がコの字状でその解放方向が火床上部を指す溝レール（ｊ）に支持棒（ｆ）の手元尻手部（ｇ）が可動域を有して形状整合をなし、焼串（ｂ）が火元（ｉ）を中心に所定の角度を有して双方からの拝み姿勢となる一時的固定をなし、食材の四面炙り調理に係る任意調整を可能としたことを特徴とする請求項１に記載の焼き串支持棒。
【考案の詳細な説明】
【技術分野】
【０００１】  食材の炙り調理等における焼き串の保持に関する。
【背景技術】
【０００２】  焼き串を使った食材の炙り調理においては、塩を塗した塩焼きや垂れを塗布した垂れ焼き方法にあっては、炭火等の直火を利用して食材の表裏及び四面方面を適度に且つ均等に炙り焼きする方法がとられており、何れの場合においても焼き串の手元余寸を回転操作することが必須となり、その手元操作を円滑に行う有効条件として焼き串の手元余寸（以後：焼き串尻手という）が所定の長さを有し、また、その焼き串尻手部が指先で摘み操作するに耐え得る適度な太さ形状を有していることが肝要となる。【０００３】  特に、炭火焼き等の遠赤外熱源を有効利用する鮮魚の炙り調理においては、熱源に対し一定距離を有して頭部を下にした状態での拝み姿勢となる様に火床端部の灰中に焼き串尻手を突き立てる方法が一般的となっているが、その拝み姿勢となる角度と焼き面を一時的に固定しつつ炙り具合を任意調整することが求められている。
【特許文献１】
【０００４】  そこで、上記の角度と焼き面を一時的に任意固定する先行技術考案として、特願２０１３−０５２１１２にてアルミ製のスタンド部品の所定位置に前後して多角形状の二穴を施し、その穴に焼き串の手元末尾部を斜めに差し入れつつ、二穴の天秤作用にて角度と焼き面を一時的に固定する考案がなされている。しかし、火床から離間する補足部品の二穴への天秤利用方法にあっては、その焼き串の尻手部分には相応な長さが要求される。
【考案の開示】
【考案が解決しようとする課題】
【０００５】  炭火による炙り調理の際、焼き加減調整を担うべき焼き串の尻手部が火力調整不良によって焦げるなどの任意手作業に不具合が生じ、また、炙り食材を串付きのままお客に提供する場合においては、焼き串尻手部の焼き作業に有効な焼き串の余寸とその手元形状が共に無用の長物となっていた。
【課題を解決するための手段】
【０００６】  焼き串尻手部ｃに所定の長さと形状を有した支持棒（以後：焼き串支持棒ｆという）を連結するものとし、その連結部となる焼き串支持棒ｆの先端部ｅに所定の内径寸法からなる円筒連結管ｄを備えて焼き串尻手部ｃとの連結部となし、炙り調理作業以外にあっては焼き串尻手部ｃと焼き串支持棒ｆとは脱着自在機能を有して任意開放されるものする。図２参照【０００７】  尚、上述する焼き串支持棒ｆにおいては先端部ｅに円筒連結管ｄを有することに加え、その焼き串支持棒ｆの手元部ｇの断面形状を所定の範囲で四角形ｋとなし、後述する火床ａ両脇の長手方向に敷設固定されたコの字形状の溝レールｊに可動域を有して整合されて支持棒保持部ｈとなし、また、そのコの字溝レールｊに差し置かれた焼き串支持棒ｆは手元尻手部ｃの四角形状により四面の炙り加減を任意の手作業調整にて一時的な任意固定を容認する結果となる。図３参照【０００８】  前項に記述する焼き串支持棒ｆの保持溝となるコの字形状の溝レールｊは火床ａの長さ方向両端に付帯され、その断面の解放方向が火床上部を指す所定の角度を有して支持棒手元尻手部ｇの保持機能（以後：保持部ｈという）となし、その保持部ｈの溝形状に焼き串支持棒の手元尻手部ｇの四角形状ｋを可動整合させることで焼き串上の食材は双方から火元ｉを挟んでの拝み姿勢を構築する。図１参照
【考案を実施するための最良の形態】
【０００９】  本発明の効果を発揮する好条件として、支持棒においてはその先端に備える連結管が焼き串尻手を手動によって脱着自在とする作業性を担保する内径を有した筒状であり、その連結管素材としては金属または耐熱素材であることに加え、支持棒本体は作業性と放熱性及び耐久性を鑑みて木製であると共に相応の体積形状を確保していることが望まれる。
また、コの字溝レールの取り付け位置を段階的に火元との距離変動を可能となす事に加えて、コの字溝の放射角度を一定範囲で調整可能とすることで火力調整を適正に保つことが出来れば、対象とする食材に合わせた本発明のさらなる効果が保証される。
【実施例】
【００１０】  本発明による炙り調理に至っては焼き串と焼き串支持棒との分離容易となるため、特に鮮魚の炭火塩焼きに関しては炙り上がった食材を串付きのままで姿提供することで身崩れを防ぎ、新鮮さに加えて直火調理の臨場感が評価される。
【産業上の利用可能性】
【００１１】  本発明においては焼き串と焼き串支持棒との分離使用が容易な事により、炙り上がった食材から焼き串を外す作業が不用となり、調理後の始末作業における効率化が図れることに加え、支持棒には耐久備品としての優位性が認められるに加え、焼き串をその都度の消耗品として位置付けることにより営業上の新鮮付加価値が加味される。
【図面の簡単な説明】
【００１２】
【図１】焼き串保持に係る全体イメージ図
【図２】焼き串と支持棒との連結部位図
【図３】支持棒手元尻手部とコの字溝レールとの保持機能図
【符号の説明】
【００１３】ａ  火床
ｂ  焼き串
ｃ  焼き串尻手
ｄ  連結管
ｅ  支持棒先端部
Ｆ  支持棒
ｇ  支持棒手元尻手部
ｈ  保持部
ｉ  火元
ｊ  コの字溝レール
ｋ  四角形
Ｌ  対象食材
【図１】
0003223637.tif 000003
【図２】
0003223637.tif 000004
【図３】
0003223637.tif 000005
(57)【要約】      （修正有）【課題】パネルをブース等の左右壁面水平０°に対し、正面側に６０°傾けて設置することにより、正面からも左右からも見やすく目立たせることができるパネル装置を提供する。【解決手段】１ａもしくは１ｂのようにパネルを各６０°の角度にて接合することで正三角柱の側面形状とし、壁面に対し６０°で設置することで比較的安価かつ容易にパネルを来場者２０の視界に入りやすく、且つ見やすくすることでパネルの内容訴求力向上を実現するもの。【選択図】図１
0003223633.tif 000002
【実用新案登録請求の範囲】
【請求項１】
長方形の板状の壁部材とその壁部材の側縁際に貼着された三角柱状体とからなる広告装置。
【請求項２】
前記三角柱状体の側面に貼着可能な表示ボードを備えたことを特徴とする請求項１に記載の広告装置。
【考案の詳細な説明】
【技術分野】
【０００１】  本考案はパネルをブース等の左右壁面水平０°対し、正面側に６０°傾けて設置することにより、正面からも左右からも見やすく目立たせることができるパネル装置である。
【背景技術】
【０００２】  展示会等においてパネル設置場所としてよく使用される左右壁面だが、左右壁面に直接パネルを設置した場合、正面からの来場者には非常に見えにくく、左右からの来場者も壁面に対し垂直に見ることはなく、ある程度角度が付いた状態で見るため、ブース正面、もしくは側面のいずれの方向から近づいてくる来場者に対しても見えづらく、さらに壁面と同化して目立ちにくいという問題点があった。
【先行技術文献】
【特許文献】
【０００３】
【特許文献１】実用新案登録第３２２１３７４号公報
【考案の概要】
【考案が解決しようとする課題】
【０００４】  展示会等の左右壁面に貼ったパネルは壁面と同化し見づらく、正面からは非常に見えにくいという問題があった。
【課題を解決するための手段】
【０００５】  長方形の板状壁部材とその壁部材の側縁際に貼着された三角柱状体とからなることを特徴とする。壁部材はブースに一体的に設けられているものでも良い。三角柱状体は強度確保のために角形状の変更、補強をいれるものとする。【０００６】  又、前記三角柱状体の側面に貼着可能な表示ボードを備えたことを特徴とする。
【考案の効果】
【０００７】  展示会等の左右壁面に対し、パネルを６０°ごとに接続した正三角柱の形状をしたパネルを壁面に設置、もしくは自立させ、前記パネルに直接もしくは装飾パネルを貼り付け、ブース左右壁面の水平０°に対し入口に向かって６０°傾けた位置にパネル設置することで、正面からも見易く、かつ壁面との同化を防ぎ、比較的安価かつ容易に訴求したいパネルをより目立ちやすくすることが可能となった。
【図面の簡単な説明】
【０００８】
【図１】本考案のパネルを設置したブースに来場者が正面より向かって来る状況を示した平面図である。
【図２】本考案のパネルを設置したブースに来場者が側面より向かって来る状況を示した平面図である。
【図３】壁面と平行に貼った通常のパネルを設置したブースに来場者が正面から向かって来る状況を示した平面図である。
【図４】壁面と平行に貼った通常のパネルを設置したブースに来場者が正面から向かって来る状況を示した平面図である。
【図５】壁面に本考案を貼り付ける形で設置した図であり、ａ）は表示ボードがない状態、ｂ）は表示ボードを取り付けた状態である。
【図６】自立した形で本考案を設置した図である。
【考案を実施するための形態】
【０００９】  展示会もしくはそれに近しいブース左右壁面に対し、６０°ごとに接続した正三角柱の側面形状をしたパネルを壁面に設置、もしくは自立させ、直接もしくは貼り付けた装飾パネルに訴求したい内容やコピーを記載することで、ブース左右壁面の水平０°に対し入口に向かって６０°傾けた位置にパネル設置することを可能とする。
【実施例】
【００１０】  以下図面に従って実施例を説明する。図１は本考案のパネルを設置したブースに来場者が正面より向かって来る状況を示した平面図である。対して、図３は壁面と平行に貼った通常のパネルを設置したブースに来場者が正面から向かって来る状況を示した平面図である。正面より向かってくる来場者２０は進行方向を示す矢印２１の方向に移動しているものとする。２２は２０の視界を表し、一般的な視界の範囲である１２０°とした。図２において２０は通常の設置方法であるパネル１１ａ及び、１１ｂが視界に入りづらく、視界に入ったとしてもパネルを鋭角度で見ることになり非常に見にくい。対して図１において２０は本考案パネルである１０ａ及び１０ｂが視界へ容易に入ることができ、かつ首の向きを変えるだけでパネルをほぼ視界正面で捉えることが可能である。図２は本考案のパネルを設置したブースに来場者が側面より向かって来る状況を示した平面図である。対して図４は壁面と平行に貼った通常のパネルを設置したブースに来場者が正面から向かって来る状況を示した平面図である。側面より向かってくる来場者３０は進行方向を示す矢印３１の方向に移動しているものとする。３２は３０の視界を表し、一般的な視界の範囲である１２０°とした。図４において３０は通常の設置方法であるパネル１１ａは視界に入るものの壁面と同化しており目立ちにくく、視界に入ったとしてもパネルを鋭角度で見ることになり見にくいといえる。また１１ｂは視界に入らない。対して図２において３０は本考案パネルである１０ａが視界へ容易に入ることができ、かつ首の向きを変えるだけでパネルをほぼ視界正面で捉えることが可能である。また１０ｂについても首の向きを変えることで視界に捉えることが可能である。図５は壁面に本考案を貼り付ける形で設置した図である。図６は自立した形で本考案を設置した図である。いずれも平面パネルを６０°で接続する形状をしており、正三角柱の側面形状をしており、壁面に対し正面に向かい６０°の角度を有するものである。
【産業上の利用可能性】
【００１１】  本考案の一実施例は上記の如き構成からなるものである。パネルの種類は意匠及び強度等の必要に応じて変更するものとする。
【符号の説明】
【００１２】１ａ  三角柱状体左
１ｂ  三角柱状体右
２  三角柱状体自立型
１０ａ  三角柱状体左グラフィック面
１０ｂ  三角柱状体右グラフィック面
２０  来場者（ブース正面に向かって移動中）
２１  ２０来場者の進行方向
２２  ２０来場者の視界（１２０°想定）
３０  来場者（ブース側面から移動中）
３１  ３０来場者の進行方向
３２  ３０来場者の視界（１２０°想定）
４０  ブース壁面（壁部材）
５０  表示ボード
【図１】
0003223633.tif 000003
【図２】
0003223633.tif 000004
【図３】
0003223633.tif 000005
【図４】
0003223633.tif 000006
【図５】
0003223633.tif 000007
【図６】
0003223633.tif 000008
(57)【要約】      （修正有）【課題】機能性が高く、しかも縫着部における滑脱が発生しにくく丈夫な複合ハンカチを提供する。【解決手段】この考案の複合ハンカチは、第１編物生地２と、第１編物生地２と異なる編物生地であり第１編物生地２と実質的に同じ形状である第２編物生地３と、第１編物生地２と第２編物生地３の周辺を縫着する縫着部を有することにより、その両面において異なる機能を持たせることができ、しかも、縫着部における滑脱が生じにくく、長期間に渡って第１編物生地２と第２編物生地３の分離を防止することができる。【選択図】図２
0003223692.tif 000002
【実用新案登録請求の範囲】
【請求項１】
第１編物生地と、第１編物生地と異なる編物生地であり第１編物生地と実質的に同じ形状である第２編物生地と、第１編物生地と第２編物生の周辺を縫着する縫着部を有する複合ハンカチ。
【請求項２】
第１編物生地には印刷による図柄が設けられている請求項１に記載の複合ハンカチ。
【請求項３】
第２編物生地は冷感機能またはワイピング機能を有する機能面である請求項１または請求項２に記載の複合ハンカチ。
【考案の詳細な説明】
【技術分野】
【０００１】
この考案は、表面と裏面が異なる生地によって構成される複合ハンカチに関する。
【背景技術】
【０００２】
表面と裏面に異なる生地を用い、これを重ねて周囲を縫着して構成された複合ハンカチが特許文献１〜３に記載されている。特許文献１〜３のすべてにおいて、一方の面は織物生地であり、他方は編物生地である。そして、織物生地の面が通常のハンカチの機能を有している。また、編物生地の面は、吸湿性と放湿機能を有したり、ワイピング機能を有するようになっており、１枚のハンカチで複数の機能を有するものである。
【先行技術文献】
【特許文献】
【０００３】
【特許文献１】特開２００７−１００２６７号公報
【特許文献２】実用新案登録第３１７８４０７号公報
【特許文献３】実用新案登録第３２０４４２４号公報
【考案の概要】
【考案が解決しようとする課題】
【０００４】
特許文献１〜３に記載されているものなど、従来の複合ハンカチは織物生地と編物生地の組み合わせか、性質の異なる２種類の織物生地の組み合わせであった。このように性質の異なる２種類の生地を組み合わせることによって、通常のハンカチにはない多彩な機能を持たせることができる。
【０００５】
しかし、２枚の生地を周辺で縫着する場合、少なくとも一方が織物であると、２枚の生地を引き剥がすような力が加わったときに、織物生地の縁部では繊維が滑脱する場合があり、そこから結合が損なわれて分離してしまうことがある。特に、使用期間が長くなるとその傾向が現れやすい。
【０００６】
この考案は、機能性が高く、しかも縫着部における滑脱が発生しにくく丈夫な複合ハンカチを提供することを目的とする。
【課題を解決するための手段】
【０００７】
上述の課題を解決するため、この考案の複合ハンカチは、第１編物生地と、第１編物生地と異なる編物生地であり第１編物生地と実質的に同じ形状である第２編物生地と、第１編物生地と第２編物生地の周辺を縫着する縫着部を有する。第１編物生地は印刷に適した編地にし、印刷による図柄が設けてもよい。また、第２編物生地は冷感機能またはワイピング機能を有する機能面としてもよい。
【考案の効果】
【０００８】
この考案の複合ハンカチは、２種類の異なる編物生地を重ね合わせて結合しているため、表面と裏面で異なる性質を有する。したがって、通常のハンカチとしての機能を越えて、多彩な機能を備えることができる。しかも、周辺部の縫着部により強固に結合しており、長期間使用しても滑脱を生じにくい。
【図面の簡単な説明】
【０００９】
【図１】複合ハンカチを示す斜視図である。
【図２】複合ハンカチの構成を模式的に示す斜視図である。
【考案を実施するための形態】
【００１０】
この考案を実施するための形態について説明する。図１は複合ハンカチを示す斜視図、図２は複合ハンカチの構成を模式的に示す斜視図である。複合ハンカチ１は、第１編物生地２と第２編物生地３を有する。この第１編物生地２と第２編物生地３とは実質的に同じ形状であり、たとえば標準的なハンカチの寸法の正方形である。    
【００１１】
第１編物生地２と第２編物生地３は共に編成によりなる編物生地であるが、相互に異なる生地である。例えば糸の種類や編み方などを変えることによって、異なる編物生地にすることことができる。第１編物生地２と第２編物生地３を重ね合わせ、周辺に縫着部４を設けて、この２枚の編物生地を一体に結合する。
【００１２】
第１編物生地２と第２編物生地３のいずれを表面と呼ぶかは任意であるが、本例では第１編物生地２を表面とする。そして、第１編物生地２を印刷に適した生地にしている。たとえば、綿糸の４０番単糸により２００ｇ／ｍ2以下で編成する。そして、印刷により図柄を設けることができる。印刷は、昇華転写印刷、顔料による印刷、染料による印刷などを行うことができる。
【００１３】
また、本例では第２編物生地３を裏面とし、通常のハンカチとは異なる気能を持たせた面にしている。たとえば、７５ｄｅ以上１１０ｄｅ以下のポリエステルのマイクロファイバーにより２００ｇ／ｍ2以下で編成し、レンズや携帯端末の表示部を払拭するワイピング機能を持たせることができる。あるいは、ポリエチレン糸で編成した編物生地を使用してもよい。熱伝導性の高いポリエチレンを使用することにより熱を拡散しやすくなり、触ったときに冷たく感じる冷感機能をもたせることができる。
【００１４】
第１編物生地２と第２編物生地３を合わせた単位面積当たりの重量は４００ｇ／ｍ2以下であることが好ましい。これによって、厚くなり過ぎず、取り畳んで持ち運びやすくなる。特に本例のように、第１編物生地２と第２編物生地３のそれぞれを２００ｇ／ｍ2以下にすることが好ましい。
【００１５】
この考案の複合ハンカチは、編物生地同士を縫着している。これによって、縫着部における糸の滑脱は発生しにくくなり、第１編物生地２と第２編物生地３は分離しにくい。したがって、第１編物生地２と第２編物生地３を引き剥がすような力が加わっても分離しにくく、長期間に渡って使用することができる。
【符号の説明】
【００１６】
１．複合ハンカチ
２．第１編物生地
３．第２編物生地
４．縫着部
【図１】
0003223692.tif 000003
【図２】
0003223692.tif 000004
(57)【要約】      （修正有）【課題】脳卒中や心筋梗塞を引き起こす所謂「ヒートショック」を確実に防止するお風呂の入浴管理表示装置を提供する。【解決手段】浴室１と湯船２と脱衣所３にそれぞれ温度計を設置し、居間には表示器１００を設置し、表示器には前記温度計の測定値を表示する表示部１０１、１０２、１０３と、浴室と湯船と脱衣所における目標温度を設定する設定部１１１、１１２、１１３を設けると共に、前記各測定値が当該目標温度に全てが一致すると入浴を可能であることを表示する入浴可能判断部１２０を設けた。【選択図】図１
0003223202.tif 000002
【実用新案登録請求の範囲】
【請求項１】
浴室と湯船と脱衣所にそれぞれ温度計を設置し、居間には表示器を設置し、表示器には前記温度計の測定値を表示する表示部と、浴室と湯船と脱衣所における目標温度を設定する設定部を設けると共に、前記各測定値が当該目標温度に全てが一致すると入浴を可能であることを表示をする入浴可能判断部を設けたことを特徴とするお風呂の入浴管理表示装置。
【考案の詳細な説明】
【技術分野】
【０００１】  本考案はお風呂の入浴管理表示装置に関するものである。
【背景技術】
【０００２】  近年特に７０歳以上の高齢者の入浴中の死亡事故が多い。
要因として冬本番は冷え込む時季であり、この時季に高齢者の入浴中に死亡する事故が多い。
居間から脱衣所、浴室、そして湯船における過程で、身体への急激な温度変化で血圧が急変し、脳卒中や心筋梗塞を引き起こす所謂「ヒートショック」が要因になっている。
これは夏本番における入浴中の死亡事故も同様に急激な温度変化が要因になっている。
【考案の開示】
【考案が解決しようとする課題】
【０００３】  このような入浴に関する死亡事故を防止するには前記した居間から脱衣所、浴室、そして湯船における過程での温度差を例えば１０℃以下とできるだけ小さくすることが寛容である。【０００４】  この為には、高齢者個人の温度感覚だけでは限界があるので、居間から脱衣所、浴室、そして湯船における正確な温度管理を居間にいながらにして把握して、高齢者の入浴死亡事故を皆無にすることが急務である。
本考案は、居間から脱衣所、浴室、そして湯船において、身体への急激な温度変化で血圧が急変し、脳卒中や心筋梗塞を引き起こす所謂「ヒートショック」を確実に防止するお風呂の入浴管理表示装置を提供する。
【課題を解決するための手段】
【０００５】  本考案は、前記課題を解決する技術的手段として次の（１）を特徴とするものである。
（１）、浴室と湯船と脱衣所にそれぞれ温度計を設置し、居間には表示器を設置し、表示器には前記温度計の測定値を表示する表示部と、浴室と湯船と脱衣所における目標温度を設定する設定部を設けると共に、前記各測定値が当該目標温度に全てが一致すると入浴を可能であることを表示をする入浴可能判断部を設けたことを特徴とするお風呂の入浴管理表示装置。
【考案の効果】
【０００６】  本考案のお風呂の入浴管理表示装置は、簡単なモニタリングシステムにより高齢者に限ることはないが、特に高齢者が居間にいながらにして、脱衣所、浴室、そして湯船における温度のモニタリングと入浴可能状態が確認できるため、この入浴可能状態を確認した後に入浴することにより、身体への急激な温度変化で血圧が急変し、脳卒中や心筋梗塞を引き起こす所謂「ヒートショック」を確実に防止する優れた作用効果を呈する。
【図面の簡単な説明】
【０００７】
【図１】本考案のお風呂の入浴管理表示装置の実施例１のモニタリングシステムを示すブロック説明図である。
【考案を実施するための態様】
【０００８】  本考案の実施態様は、図１に示す実施例により詳細に説明する。
【実施例１】
【０００９】  図１において、お風呂の入浴管理表示装置は、浴室１と湯船２と脱衣所３にそれぞれ室温度計１０，２０，３０、を設置し、居間４には表示器１００を設ける。
表示器１００には前記各温度計１０，２０，３０の測定値ｔ１，ｔ２，ｔ３を表示する表示部１０１〜１０３を設置する。【００１０】  前記居間４の前記表示器１００には、浴室１と湯船２と脱衣所３における目標温度ｔａ，ｔｂ，ｔｃを設定する設定部１１１〜１１３を設ける。
例えば設定部１１１では浴室１の目標温度ｔａを３１度以上に、設定部１１２では湯船２の目標温度ｔｂを４１度以下に、設定部１１３では脱衣所３の目標温度ｔｃを３１度以上に各々設定する。【００１１】  叉、前記前記表示器１００には、各表示部１０１〜１０３からの前記表示している測定値ｔ１，ｔ２，ｔ３と、設定部１１１〜１１３で設定した当該目標温度ｔａ，ｔｂ，ｔｃとを各々比較して前記各測定値ｔ１，ｔ２，ｔ３が当該目標温度ｔａ，ｔｂ，ｔｃに全てが達すると入浴を可能であることを表示をする入浴可能判断部１２０を設ける。【００１２】  以上の構成により、本例の入浴管理表示装置は、特に高齢者が居間４にいながらにして、浴室１、湯船２、脱衣所３における測定温度を表示部１０１〜１０３でのモニタリングと入浴可能状態が入浴可能判断部１２０で確認できるため、この入浴可能状態を確認した後に入浴することにより、身体への急激な温度変化で血圧が急変し、脳卒中や心筋梗塞を引き起こす所謂「ヒートショック」を確実に防止する。
【産業上の利用可能性】
【００１３】  本考案の入浴管理表示装置は、前記した優れた作効果を呈するため、最近（２０１７年実績）年間１万九千人もの高齢者が浴室内で死亡している現状から、入浴事故を未然に防ぐ安全対策として貢献すること多大なものであり、この種産業に大いに利用活用される可能性が非常に高い。
【符号の説明】
【００１４】    １：浴室
２：湯船
３：脱衣所
４：居間
１０：浴室温度計
２０：湯船温度計
３０：脱衣所温度計
ｔ１：浴室温度の測定値
ｔ２：湯船温度の測定値
ｔ３：脱衣所温度の測定値
１００：表示器
１０１：浴室温度の表示部
１０２：湯船温度の表示部
１０３：脱衣所温度の表示部
１１１：浴室目標温度の設定部
１１２：湯船目標温度の設定部
１１３：脱衣所目標温度の設定部
Ｔａ：浴室１の目標温度
Ｔｂ：湯船２の目標温度
Ｔｃ：脱衣所３の目標温度
１２０：入浴可能判断部
【図１】
0003223202.tif 000003
(57)【要約】      （修正有）【課題】通常使用している下着を利用して、洋服の汗じみの原因になり、不快感もある脇の汗を速乾性のある生地で、素早く吸収し、かつ体温調節機能手段を提供する。【解決手段】ブラジャーのストラップにショルダースナップで装着しゴム２に腕を通しブラジャーのカップに挟み込むか、もしくは二つ折りの構造を伸ばして、袖ぐりに合わせて広げて使用することも出来る。さらに、体温そのものを調節し、汗を抑制できる裏面の保冷剤を入れられる収納ポケット４を形成する。【選択図】図２
0003223204.tif 000002
【実用新案登録請求の範囲】
【請求項１】
二つ折り可能な竹繊維からなる織物であって、２つ折りの中央部に腕から通すための紐を有し、二つ折りの片側に収納ポケットを有することを特徴とする脇汗パッド。
【考案の詳細な説明】
【技術分野】
【０００１】
本考案はブラジャーに装着し、脇の汗を吸収する脇用汗取りパッドである。
【背景技術】
【０００２】
脇の下の汗は衣服に付着すると汗じみになったり、汗の染み出た衣服は見栄えも悪いことから脇の下にかいた汗を素早く吸収する製品が様々な形で市販されている。
従来の汗取りパッドは使い捨てのタイプが主流であり、使用時に費用がかかるという問題点があった。
従来の汗取りパッドは粘着テープにより衣服に装着するため、体の動きによっては外れて落ちてしまうこともあった。
【０００３】
しかしながら、従来の汗取りパッドは汗を吸収するのみで、加温材や保冷材による温度調節機能を有しないため、夏や冬には体温調節が出来ないという問題点もあった。
【先行技術文献】
【特許文献】
【０００４】
【特許文献１】特開2011-195987号公報
【考案の概要】
【考案が解決しようとする課題】
【０００５】
本考案は使い捨てでなく，繰り返し使用が可能であり、織物による吸水性、速乾性があり、かつ抗菌・消臭性を付与し、かつ、夏でも冬でも一年中使用することの出来る脇汗パッドを提供することにある。
【課題を解決するための手段】
【０００６】
本考案は二つ折り可能な竹繊維からなる織物であって、２つ折りの中央部に腕から通すための紐を有し、二つ折りの片側に収納ポケットを有することを特徴とする脇汗パッドである。
二つ折りの竹繊維から織物であるため、抗菌・消臭性に優れるという特徴がある。
織物は二つ折り構造であり、二つ折り部の中央に紐を有する。紐はゴム、特にゴム紐が好ましい。この紐を腕から通し、ブラジャーのストラップにショルダースナップで固定して使用する。竹繊維からなる織物はブラジャーカップの内側に挟み込み、固定する。この時、ブラジャーカップから織物の一部をはみ出させて，脇の下に沿わせるよう配置する。このように配置することにより、落下の心配がなく、装着も容易である。
【０００７】
本考案の脇汗パッドは洗って何度も繰り返して使用することができるため、コストが抑えられる。
【０００８】
内側にポケットを有するため、夏は保冷剤を収納することが出来るため、装着すると涼しく過ごすことが出来、冬はカイロなどを装着することにより加温でき、体温そのものの調整が可能で快適に過ごし、かつ汗を抑えることができる。また、竹繊維で出来ているため、繰り返し洗濯しても抗菌・消臭性が大きく低下しないという特徴を有する。この竹繊維の織物は表面のみループがあり裏面にはループがない構造、かつ丸編みのため、肌触りも柔らかく、吸水性にも富んでいる。大きさは縦28センチ、横９センチ、厚さ3ミリ程が好ましい。
【考案の効果】
【０００９】
このように本考案の汗取りパッドはブラジャーに装着するという容易な方法で脇の汗を吸い取り、かつ衣服への汗じみを防ぐことができ、内側についたポケットにより、保冷剤を収納することができるという、温度調節機能も備えている。
【図面の簡単な説明】
【００１０】
【図１】本考案の正面図である。
【図２】本考案の裏面図である。
【図３】本考案の側面図である。
【図４】本考案の脇用汗取りパッドの使用状態である。
【考案を実施するための形態】
【００１１】
以下、本考案の汗取りパッドの実施形態について図面を参照して説明する。図1のようにパッド本体1と、腕を通すゴム２、ゴム上部にブラジャーのストラップ５に取り付けるためのショルダースナップ３によって構成される。
【００１２】
パッド本体は二つ折りの構造で、図４のように二つ折りのままブラジャーに差し込んで使用するか、または洋服の脇の部分に合わせ広げて使用することも出来る構造になっている。
【００１３】
パッド本体は縦28センチ、横9センチ、厚み3ミリで、二つ折りの場合は縦14センチ、横9センチ、厚さ6ミリの構造となる。
【００１４】
ショルダースナップはブラジャーを付けた状態で装着するか、ブラジャーをつける前にあらかじめ付けるかは、使用者の好みによって選択される。
【００１５】
図４のようにパッドは脇に沿う形になっており、通気性の高い織物を使用しているため、パッド本体に脇の汗が素早く吸収される。
【００１６】
また裏面図2は収納部4が形成されており、縦10センチ、横7センチほどの保冷部材を収納できる構成になっているため、使用者に冷感を与え、汗そのものを抑えることが出来る。
【符号の説明】
【００１７】
1  脇用汗取りパッド
2  ゴム
3  ショルダースナップ
4  収納ポケット
4a 開口部
5  ストラップ
【図１】
0003223204.tif 000003
【図２】
0003223204.tif 000004
【図３】
0003223204.tif 000005
【図４】
0003223204.tif 000006
(57)【要約】      （修正有）【課題】通信・広告及び夜間でも簡単に活用できる係留ネット気球を提供する。【解決手段】係留ネット気球は、ヘリウムガス缶１のチューブ２よりヘリウムガスをグラファイト（カーボン）シート製風船３に充填して、取込口４から挿入し、グラファイト（カーボン）シート製紐５で炭素繊維（カーボンファイバー）製ネット８に固定するとともに、有機薄膜フレキシブル太陽電池６及び防水電源コード７を炭素繊維（カーボンファイバー）製ネットの外側に接合シール９で装着して構成される。電源ＳＷ１０を操作して、有機薄膜フレキシブル太陽電池及び電源１１から供給した電力で本体１２に内蔵した有機ＥＬ照明１３を駆動して制御する。またロープ１４を操作して、任意の高さを空中に浮遊させ杭１５で固定する。【選択図】図１
0003223203.tif 000002
【実用新案登録請求の範囲】
【請求項１】
グラファイト（カーボン）シート製風船及び炭素繊維（カーボンファイバー）製ネットを含んで構成される携帯型係留ネット気球であって、有機薄膜フレキシブル太陽電池が前記炭素繊維（カーボンファイバー）製ネットの外側に接合シールで装着されることを特徴とする携帯型係留ネット気球
【考案の詳細な説明】
【考案の詳細な説明】
【０００１】
【技術分野】  広告用具分野【０００２】
【背景技術】  従来、防炎加工をした塩化ビニル等の生地を用いた、気密性のガス袋に空気よりも軽い不活性気体のヘリウムガスを充填して、ロープで任意の高さを空中に浮遊させていたが、係留気球としての機能が低く、活用するのに制限があった。【０００３】
【考案の開示】
【考案が解決しようとする課題】  本案は、その欠点を除いて、しかも機能を活かした気球を開発しようとするものである。【０００４】
【課題を解決するための手段】  いま、その解決手段を図面を追いながら説明すれば
（イ）ヘリウムガス缶（１）のチューブ（２）よりヘリウムガスをグラファイト（カーボン）シート製風船（３）に充填して、取込口（４）から挿入し、グラファイト（カーボン）シート製紐（５）で炭素繊維（カーボンファイバー）製ネット（８）に固定する。
（ロ）有機薄膜フレキシブル太陽電池（６）及び防水電源コード（７）を炭素繊維（カーボンファイバー）製ネット（８）の外側に接合シール（９）で装着する。
（ハ）電源ＳＷ（１０）を操作して、有機薄膜フレキシブル太陽電池（６）及び電源（１１）から供給した電力で本体（１２）に内蔵した有機ＥＬ（Ｅｌｅｃｔｒｏ  Ｌｕｍｉｎｅｓｃｅｎｃｅ）照明（１３）を駆動して制御する。ロープ（１４）を操作して、任意の高さを空中に浮遊させ杭（１５）で固定する。【０００５】
【考案の効果】  本案は、以上のような構造であるから、これを使用する事により、通信・広告及び夜間でも簡単に活用できる係留ネット気球である。【０００６】
【考案を実施するための最良の形態】
【実施例】  なお、本案の実施にあたって次の如きことができる。
（イ）複数のグラファイト（カーボン）シート製風船（３）の交換により、長期間の空中を浮遊する事ができる。【０００７】
【図面の簡単な説明】
【図１】  本考案の気球の正面図
【符号の説明】
【０００８】（１）ヘリウムガス缶（２）チューブ（３）グラファイト（カーボン）シート製風船（４）取込口（５）グラファイト（カーボン）シート製紐（６）有機薄膜フレキシブル太陽電池（７）防水電源コード（８）炭素繊維（カーボンファイバー）製ネット（９）接合シール（１０）電源ＳＷ（１１）電源（１２）本体（１３）有機ＥＬ照明（１４）ロープ（１５）杭
【図１】
0003223203.tif 000003
(57)【要約】      （修正有）【課題】テープによる貼り付け方式でマスクを肌に固定する紐なしマスクを提供する。【解決手段】多層の濾過布部材を設けたマスク本体１０の顔面に相対する面の周辺に粘着層を形成したテープ１２を複数設けて、これらの粘着力によりマスクを顔面に装着する。マスク本体１０は、濾過布部材を折り込んだ複数のプリーツ１４が設けられる。マスクは、粘着層により繰り返し着脱可能であり、耳に掛けた紐がないため装着時の快適性が向上し、顔面とマスク周辺に間に隙間ができないため紐によって装着する方式に比較して密閉性が向上する。【選択図】図１
0003223201.tif 000002
【実用新案登録請求の範囲】
【請求項１】
多層の濾過布部材を有するマスク本体の顔面に相対する面の周辺部に粘着層を形成した複数のテープを設けて顔面に装着可能としたことを特徴とする、紐なしマスク。
【請求項２】
上記マスク本体は、濾過布部材を折り込んだ複数のプリーツが設けられたことを特徴とする請求項１記載の紐なしマスク。
【請求項３】
上記マスク本体は、顔面の輪郭に沿って湾曲可能のノーズフィッターが設けられたことを特徴とする請求項１記載の紐なしマスク。
【請求項４】
上記テープは、弾性部材としたことを特徴とする請求項１記載の紐なしマスク。
【請求項５】
上記テープは、柔軟性のあるシリコンシートで形成したことを特徴とする請求項１記載の紐なしマスク。
【請求項６】
上記テープは、粘着層を形成した貼り付け式布生地で形成したことを特徴とする請求項１記載の紐なしマスク。
【考案の詳細な説明】
【技術分野】
【０００１】
本考案は、マスクに関し、特にテープによる貼り付け方式でマスクを肌に固定する紐なしマスクに関する。
【背景技術】
【０００２】
市販のマスクは両側にゴム紐があり、長時間にマスクを付ける必要がある使用者（看護師など）は耳の両側に跡が残ってしまう以外、ゴム紐が抜けやすく、また眼鏡使用者が付ける時に面倒、かつ不快などはすべて欠点である。そのほか、ゴム紐だけでマスクを顔に付けることは密閉性が低く、空気中の汚れがマスクの周辺より口と鼻に入り込む可能性があるため、従来の技術は改善する余地がある。
【先行技術文献】
【特許文献】
【０００３】
【特許文献１】実用新案登録第３０７１９０４号公報
【考案の概要】
【考案が解決しようとする課題】
【０００４】
従来技術に存在する上述の欠点について解決し、紐なしマスクを提供する。
【課題を解決するための手段】
【０００５】
本考案の紐なしマスクは、多層の濾過布部材があるマスク本体を含む。該マスク本体の両側にゴム紐がなく、顔面に相対する面の周辺に繰り返して脱着できる粘着層を形成したテープが複数に設けられる。上述の構造により、使用者は該マスク本体を直接に顔に付けられ、抜け落ちる問題が起きにくいと同時に、各テープが繰り返して脱着できる特性によって、該マスク本体は状況によって多数回に外したり、付けたりでき、対応できる。
【０００６】
本考案は該マスク本体の濾過布に折り込んだ襞からなる複数のプリーツが設けられ、これらのプリーツは該マスク本体の伸縮性を提供するため、使用者の顔の大きさに対応できる。
本考案の第三の目的は該マスク本体に湾曲可能のノーズフィッターが設けられ、該ノーズフィッターは、柔軟にまげて変形可能な材質として軟鋼製等の金属細線を装着時に鼻などを傷付けないように布や樹脂材などで被覆し、その前面にテープを設けることにより、
ノーズフィッターは個人の異なる顔に輪郭に沿って変形させた後装着するため、ぴったりと顔の輪郭に合致して付け心地を向上できる。  
【図面の簡単な説明】
【０００７】
【図１】図１は、本考案に関わる紐なしマスク本体を示す立体図である。
【図２】図２は、本考案に関わる紐なしマスク本体の表側を示す図である。
【図３】図３は、本考案に関わる紐なしマスク本体の裏側を示す図である。
【図４】図４は、本考案に関わる紐なしマスクを使用する状態を示す図である。
【考案を実施するための形態】
【０００８】
まず、図１を参照されたい。紐なしマスクは、マスク本体１０を含む。該マクス本体１０に多層の濾過布部材があり、また該マスク本体１０の両側にはゴム紐がなく、顔面に相対する面の周辺に繰り返して脱着できるように粘着層が形成されたテープ１２が複数に設けられる。該マスク本体１０に複数のプリーツ１４が設けられ、該マスク本体１０を広げると、各プリーツ１４が広げられるため、該マスク本体１０の面積が増加される。
【０００９】
引き続き図２を参照されたい。該マスク本体１０の正面を見ると、該マスク本体１０の正面には前記プリーツ１４だけあって、該プリーツ１４は該マスク本体１０の伸縮性を提供するため、使用者の顔が異なる大きさに対応できる。
【００１０】
図３は図１と合わせて参照されたい。該マスク本体１０の顔面に相対する背面を見ると、該マスク本体１０の背面は該プリーツ１４が見える外、該マスク本体１０に沿って、内周面の周囲に前記テープ１２が設けられ、各テープ１２は粘着層により繰り返して脱着できる特性があり、該マスク本体１０の頂部面と頂部面にある該テープ１２の間にノーズフィッター１６が設けられ、該ノーズフィッター１６は使用者の鼻筋等顔に輪郭に沿って湾曲できるため、該マスク本体１０を付ける時の快適性を向上できる。
【００１１】
図４は本考案の具体的な実施例を示す図である。使用者は先に該マスク本体１０の包装を取り外した後（図に未表示）、マスク本体１０を顔面に装着する。前記テープ１２は口と鼻穴を避けた位置にあって呼吸に支障をきたすことなく、さらに鼻筋の形によって前記ノーズフィッター１６を湾曲して合わせて快適性を向上させ、該マスク本体１０は前記テープの粘着層によって繰り返して外したり、付けたりできるため、状況によって合わせて使用できる。
該テープ１２は、可塑性樹脂などの柔軟性のある弾性部材に替えることができ、このような弾性部材は口と鼻の輪郭形状に沿って変形できると共にその弾力性によって顔面に密着してしっかり固設できる。
該テープ１２は、柔軟性のあるシリコンシートからなる材質で形成してもよく、シリコンシートは口と鼻の輪郭形状に沿って貼り付けられるので同様の効果を得られる。
該テープ１２は、布生地に粘着層を形成した貼り付け式布生地に替えてもよく、該貼り付け式布生地は一般的な医療用通気性テープと同じ材質でよく、口と鼻の輪郭形状に合わせて貼り付けられるので同様の効果を得られる。
【符号の説明】
【００１２】
１０        マスク本体
１２        テープ
１４        プリーツ
１６        ノーズフィッター
【図１】
0003223201.tif 000003
【図２】
0003223201.tif 000004
【図３】
0003223201.tif 000005
【図４】
0003223201.tif 000006
(57)【要約】      （修正有）【課題】雨水を地中に還元でき、雨水排水の集中化を緩和できる雨水処理マットを提供する。【解決手段】雨水処理マットは、長方形の抗菌スポンジ板２と、その底面に同寸法の貫通孔３、４を有するゴム板を張り合わせ一体化し、全体をネット１で包み込んだことを特徴とする。既設建物の軒樋に散水管を取り付けて、その下部に雨水処理マットを設置する。雨水はスポンジに保留され、少しずつ地中に浸透や自然乾燥される。【選択図】図２
0003223219.tif 000002
【実用新案登録請求の範囲】
【請求項１】
本考案は長方形の抗菌スポンジ板と、その底面に同寸法の貫通孔のあるゴム板を張り合わせ一体化する、その全体をネットで包み込んだことを特徴とする、雨水処理マット。
【請求項２】
ゴム板の貫通孔の配列を千鳥列にしたことを特徴とする、請求項１記載の雨水処理マット。
【請求項３】
ゴム板の貫通孔の配列を並列にしたことを特徴とする、請求項１記載の雨水処理マット。
【考案の詳細な説明】
【技術分野】
【０００１】
軒樋には破風板に取り付ける散水タイプのものがある、本考案は散水タイプの軒樋より落下する、雨水を処理するためのものである。
【背景技術】
【０００２】
従来の軒樋は、竪樋に接続して排水管よりＵ字溝や下水管に接続される。豪雨時にオーバーフローする原因の一つになる。最近、住宅向けの散水型軒樋が発明された、既設建物にその樋を取り付けた場合には軒樋より落下する雨水を処理する必要がある。従来の雨水処理は排水系統に浸透桝を設置する工法がある。
【先行技術文献】
【特許文献】
【０００３】
【特許文献１】特許第6343110号
【考案の概要】
【考案が解決しようとする課題】
【０００４】
雨水を地中に戻すことは重要であり、地下水位の保全や、下水管のオーバーフローを防ぐことに貢献する。既設建物に散水型軒樋を取り付けた場合に、その下部がコンクリートなどの場合、それを撤去して砕石を埋設することは大掛かりな施工となる、その場合に設置できる雨水処理マットが必要となる。
【課題を解決するための手段】
【０００５】
既設建物に散水型軒樋を取り付けた場合、その下部の地面状況は様々である。軒樋より落下する雨水をスポンジとゴムマットで形成する雨水処理マットを設置することにより、雨水はスポンジに取り込まれ、貫通孔のあるゴム板より地中に浸透することや雨水は自然乾燥する。このことにより雨水処理マットの機能は回復することができる
【考案の効果】
【０００６】
前述に述べた、散水型の軒樋と雨水処理マットを併用することにより、雨水はスポンジに保留される、その雨水は地中に浸透することや自然乾燥により、地下水位の保全や、豪雨時にも雨水は排水されることはなく河川への氾濫防止にも貢献する。又、竪樋と雨水の排水管工事も不要となる。
【図面の簡単な説明】
【０００７】
【図１】雨水処理マット平面図
【図２】雨水処理マット正面図
【図３】雨水処理マット左側面図
【図４】雨水処理マット底面図
【考案を実施するための形態】
【０００８】
雨水処理マットの形状を図１から図４に示し、雨水を吸収するスポンジの底面に、貫通孔のあるゴム板を張り付けることにより、風に吹き飛ばないことと、その下部に雨水を浸透させることができる。その全体をネットで包みスポンジの飛散防止に備える。このことにより軒樋より落下する雨水を処理することができる。
【実施例】
【０００９】
図１は本考案の平面図
図２は本考案の構成を現す正面図。
図３は本考案の構成を現す左側面図
図４は本考案のゴム板の形状を現す底面図。
【産業上の利用可能性】
【００１０】
本考案は、既設の建物に散水型軒樋を取り付けた場合に、樋より落下する雨水を処理するためのものであり、豪雨による災害防止に役立つことを目的としている物である。
【符号の説明】
【００１１】
１  ネット
２  抗菌スポンジ
３  ゴム板並列孔
４  ゴム千鳥列孔
【図１】
0003223219.tif 000003
【図２】
0003223219.tif 000004
【図３】
0003223219.tif 000005
【図４】
0003223219.tif 000006